(57)【要約】【課題】表示部と表示部に対向して配置された光学系とを有する電気光学装置において、光学系を介してユーザーによって視認される表示部の表示面の画質のむらを低減する【解決手段】電気光学装置（１０）は、画像データに基づいて画像を表示する表示部（１２）と、前記表示部に対向して配置された光学系（１４）と、入力された画像データを、前記表示部の特性及び前記光学系の特性に応じて補正して、補正された画像データを前記表示部に出力する画像データ補正部（１５２）とを有する。【選択図】図５
2013061442.tif 000002
【特許請求の範囲】
【請求項１】
画像データに基づいて画像を表示する表示部と、
前記表示部に対向して配置された光学系と、
入力された画像データを前記表示部の特性及び前記光学系の特性に応じて補正して、補正された画像データを前記表示部に出力する画像データ補正部と
を有する電気光学装置。
【請求項２】
前記表示部の特性及び前記光学系の特性に応じて前記表示部の表示面を複数の領域に分割するべくこれら複数の領域を定義する領域定義データと、前記表示部の各領域に対応付けられた変換データとを格納するデータ格納部を有し、
前記画像データ補正部は、前記データ格納部に格納された前記領域定義データを参照して、前記表示部の各画素が属する領域を前記複数の領域から特定し、前記入力された画像データに含まれる当該画素の階調値を前記特定された領域に対応付けられた変換データに基づいて、補正された階調値に変換することで、前記入力された画像データの補正を行うことを特徴とする請求項１に記載の電気光学装置。
【請求項３】
前記変換データは、前記入力された画像データに含まれる階調値と、前記補正された画像データに含まれる階調値とを関連付ける変換テーブルを含む
ことを特徴とする請求項２に記載の電気光学装置。
【請求項４】
前記入力された画像データは、ＲＧＢの各色に対する画像データを含み、
前記変換データは、前記ＲＧＢのうち、前記光学系を介してユーザーによって視認される前記表示部の輝度のむらに最も影響を与える色である、支配的な色に対する画像データに含まれる階調値を、補正された階調値に対応付ける変換テーブルを含み、
前記画像データ補正部は、前記支配的な色に対する前記変換テーブルに基づいて、前記支配的な色に対する画像データの補正を行う
ことを特徴とする請求項２に記載の電気光学装置。
【請求項５】
前記光学系は、アタッチメントレンズを取り付け可能であり、
前記データ格納部は、各々前記領域定義データ及び前記変換データを含む複数の補正データを格納し、
当該電気光学装置は、前記光学系に取り付けられるアタッチメントレンズの特性に応じて、前記データ格納部に格納された複数の補正データの一つを選択して前記画像データ補正部に供給する補正データ選択部を有する
ことを特徴とする請求項２乃至４のいずれか一項に記載の電気光学装置。
【請求項６】
前記アタッチメントレンズのレンズ情報保持部に保持されたレンズ情報を読み取るレンズ情報読取部を有し、
前記補正データ選択部は、前記レンズ情報読取部によって読み取られた前記レンズ情報に基づいて、前記データ格納部に格納された複数の補正データの一つを選択する
ことを特徴とする請求項５に記載の電気光学装置。
【発明の詳細な説明】
【技術分野】
【０００１】
本発明は、ユーザーによって視認される電気光学装置における表示面内の画質のむらを低減する技術に関する。
【背景技術】
【０００２】
コンピューターのディスプレイや、テレビモニターのディスプレイとして、液晶表示パネル（液晶パネルとも言う）が広く用いられている。液晶表示パネルは、見る方向（角度）によって見え方（コントラスト比や色）が異なることがある。液晶表示パネルを見る方向による見え方の差は、極力小さいことが望ましい。
【０００３】
特許文献１には、液晶表示パネルを見る角度によって輝度や色度に変化が生じること（視野角特性ともいう）に起因する、液晶表示パネルの大型化にともない顕著となってきた一人の鑑賞者から見たときの画質の面内不均一性を補正するための技術が記載されている。具体的には、特許文献１には、液晶表示パネルと、映像信号を入力し、当該映像信号の映像の明暗に寄与する各画素データにおいて、同じ入力輝度レベルに対する出力輝度レベルを、液晶表示パネル内で基準画素からの距離が遠い画素ほど基準画素の出力輝度レベルに対して相対的に大きくなるように調整することによって、当該液晶表示パネルの視野角特性に起因して生じる面内輝度差を補正し、補正後の映像信号を液晶表示パネルに出力する輝度補正部と、を有する直視型液晶表示装置が記載されている。
【０００４】
特許文献２には、液晶パネルの液晶層厚さムラに起因する輝度ムラを補正するための補正信号を生成する補正回路を設けることが記載されている。
【０００５】
特許文献３には、バックライトの輝度むらに起因する表示画面の輝度むらを低減するべく、表示位置に応じて表示データのゲインを補正することが記載されている。
【０００６】
近年、デジタルカメラやビデオカメラ等のファインダーに、撮像素子によって得られた画像情報を液晶パネル等の表示装置に表示させる電子ビューファインダー（electronic view finder：ＥＶＦ）が広く採用されている。このようなＥＶＦでは、表示装置に表示された画像は接眼レンズを含む光学系によって拡大され、ユーザーによって視認される。
【先行技術文献】
【特許文献】
【０００７】
【特許文献１】特開２００６−５８２８号公報
【特許文献２】特開２０００−５６７３７号公報
【特許文献３】特開２００７−６５５７２号公報
【発明の開示】
【発明が解決しようとする課題】
【０００８】
液晶パネルに表示された画像を光学系を介して見る場合、光学系の特性（例えば、倍率）に応じて、ユーザーによって視認される液晶パネルの表示面の画質のむらの特性が変化することがある。
そこで、本発明は、表示部と表示部に対向して配置された光学系とを有する電気光学装置において、光学系を介してユーザーによって視認される表示部の表示面の画質のむらを低減する技術を提供することを目的とする。
【課題を解決するための手段】
【０００９】
本発明は、画像データに基づいて画像を表示する表示部と、前記表示部に対向して配置された光学系と、入力された画像データを前記表示部の特性及び前記光学系の特性に応じて補正して、補正された画像データを前記表示部に出力する画像データ補正部とを有する電気光学装置を提供する。
この電気光学装置によれば、表示部と表示部に対向して配置された光学系とを有する電気光学装置が、入力された画像データを表示部の特性及び光学系の特性に応じて補正して、補正された画像データを表示部に出力する画像データ補正部を有さない場合と比べて、光学系を介してユーザーによって視認される表示部の表示面の画質のむらが低減される。
【００１０】
好ましい態様において、前記電気光学装置は、前記表示部の特性及び前記光学系の特性に応じて前記表示部の表示面を複数の領域に分割するべくこれら複数の領域を定義する領域定義データと、前記表示部の各領域に対応付けられた変換データとを格納するデータ格納部を有し、前記画像データ補正部は、前記データ格納部に格納された前記領域定義データを参照して、前記表示部の各画素が属する領域を前記複数の領域から特定し、前記入力された画像データに含まれる当該画素の階調値を前記特定された領域に対応付けられた変換データに基づいて、補正された階調値に変換することで、前記入力された画像データの補正を行ってもよい。
この電気光学装置によれば、表示部の各画素毎に変換データを格納する場合と比べて、補正データ格納部に格納されるデータの量が低減される。
【００１１】
別の好ましい態様において、前記変換データは、前記入力された画像データに含まれる階調値と、前記補正された画像データに含まれる階調値とを関連付ける変換テーブルを含んでもよい。
この電気光学装置によれば、変換データが、入力された画像データに含まれる階調値と、補正された画像データに含まれる階調値とを関連付ける変換テーブルを含まない場合に比べて、入力された画像データに含まれる階調値と補正された画像データに含まれる階調値の対応付けの自由度が大きい。
【００１２】
さらに別の好ましい態様において、前記入力された画像データは、ＲＧＢの各色に対する画像データを含み、前記変換データは、前記ＲＧＢのうち、前記光学系を介してユーザーによって視認される前記表示部の輝度のむらに最も影響を与える色である、支配的な色に対する画像データに含まれる階調値を、補正された階調値に対応付ける変換テーブルを含み、前記画像データ補正部は、前記支配的な色に対する前記変換テーブルに基づいて、前記支配的な色に対する画像データの補正を行ってもよい。
この電気光学装置によれば、支配的な色以外の色に対しても画像データの補正を行う場合と比べて、画像データの補正に要する処理時間を短くすることができる。
【００１３】
さらに別の好ましい態様において、前記光学系は、アタッチメントレンズを取り付け可能であり、前記データ格納部は、各々前記領域定義データ及び前記変換データを含む複数の補正データを格納し、当該電気光学装置は、前記光学系に取り付けられるアタッチメントレンズの特性に応じて、前記データ格納部に格納された複数の補正データの一つを選択して前記画像データ補正部に供給する補正データ選択部を有してもよい。
この電気光学装置によれば、補正データ格納部に複数の補正データを格納し、光学系に取り付けられるアタッチメントレンズの特性に応じて複数の補正データの一つを選択しない場合と比べて、アタッチメントレンズを取り付けた場合でも、光学系及びアタッチメントレンズを介して視認される表示部の表示面の画質のむらを低減することができる。
【００１４】
さらに別の好ましい態様において、前記電気光学装置は、前記アタッチメントレンズのレンズ情報保持部に保持されたレンズ情報を読み取るレンズ情報読取部を有し、前記補正データ選択部は、前記レンズ情報読取部によって読み取られた前記レンズ情報に基づいて、前記データ格納部に格納された複数の補正データの一つを選択してもよい。
この電気光学装置によれば、ユーザーがアタッチメントレンズのレンズ情報を入力しなくても、アタッチメントレンズのレンズ情報に基づいて補正データの選択を行うことができる。
【図面の簡単な説明】
【００１５】
【図１】本発明の一実施形態に係るＥＶＦが組み込まれたデジタルカメラの背面図。
【図２】本発明の一実施形態に係るＥＶＦの模式的な断面図。
【図３】液晶パネルの画素を見る角度と視認される輝度の関係を例示する図。
【図４】光学系を通して視認される液晶パネルの表示面の輝度むらを例示する図。
【図５】制御部の機能的構成を示すブロック図。
【図６】補正データの例を示す図。
【図７】表示面の分割の例を示す図。
【図８】変換データの例を示す図。
【図９】変形例１に係るＥＶＦの模式的な断面図。
【図１０】変形例１に係る補正データを例示する図。
【図１１】変形例１に係る制御部の機能的構成を示すブロック図。
【図１２】プロジェクターの構成の一例を示す平面図。
【図１３】光学系を通して視認される液晶パネルの表示面の輝度むらの別の例を示す図。
【図１４】液晶パネルの表示面の分割の別の例を示す図。
【発明を実施するための形態】
【００１６】
図１は、本発明の一実施形態に係る電子ビューファインダー（以下、ＥＶＦ）が組み込まれたデジタルカメラ１の背面図である。図１に示すように、このデジタルカメラ１は、前面側に図示しない撮影レンズが取り付けられた本体２と、本体２の上面に設けられたシャッターボタン３及び電源スイッチ４と、本体の背面に設けられたタッチパネル５とを有する。タッチパネル５は、例えば液晶パネル上にタッチパッドが配置されたものであり、表示装置と入力装置の機能を併せ持つユーザーインターフェースとして働く。タッチパネル５には、デジタルカメラ１の撮像素子（図示せず）により得た画像データに基づく画像、ユーザーにデジタルカメラ１の設定を行わせる設定画面、メモリーカード等のメモリー（図示せず）に保存された撮影済みの画像などが表示される。尚、画像データとは、画像の各画素毎に表示される色や輝度を指定するデータであり、各画素のデータを画素データと言う。画素データは、例えば、Ｒ（赤）、Ｇ（緑）、Ｂ（青）の各色の強度を表す８ビットのデータ（即ち、０〜２５５の範囲の階調値（以下、画素値という））である。通常、デジタルカメラ１には、撮像素子により得た画像データを、ユーザーにより設定された様々なパラメータ（例えば、露出、シャッタースピード、絞り、ホワイトバランス、ＩＳＯ感度など）に応じて処理したり、画像データの圧縮を行ったりする画像処理装置（図示せず）が設けられている。ユーザーがデジタルカメラ１を用いて撮影を行う際、タッチパネル５に、画像処理装置から出力された処理済みの画像データに基づく画像を表示することで、ユーザーは、自身が設定したパラメータを反映した画像を確認することができる。また、本体２の上部にはＥＶＦ１０が設けられている。
【００１７】
図２は、ＥＶＦ１０の模式的な断面図である。ＥＶＦ１０は、ハウジング１１内に設けられた液晶パネル１２と、液晶パネル１２に向かって光を照射するバックライト１３と、液晶パネル１２の表示面（バックライト１３に対向する面と反対側の面）に表示された画像を拡大するべく前記液晶パネル１２の表示面に対向して配置された光学系１４とを有する。光学系１４には接眼レンズが含まれる。尚、図２には一枚のレンズしか示していないが、光学系１４は複数枚のレンズを有してよい。また、ハウジング１１内には、液晶パネル１２を制御する制御部１５が設けられている。制御部１５は、後に詳述するように、デジタルカメラ１の撮像素子または画像処理装置から入力される画像データを補正して、補正された画像データを液晶パネル１２に供給する。
【００１８】
図３は、液晶パネル１２の画素を見る角度と視認される輝度の関係を例示する図である。図３（Ａ）は、表示面に沿った方向に見た液晶パネル１２を示している。図３（Ａ）に示すように、視点Ｖが液晶パネル１２の表示面の中心点Ｃを通り液晶パネル１２の表示面に垂直な線Ｌ１上にある場合、液晶パネル１２の任意の画素Ｐと視点Ｖとを結ぶ線Ｌ２は、線Ｌ１との間に角度Φをなす（画素Ｐが中心点Ｃに位置するときは、Φ＝０）。この角度Φを視点Ｖから画素Ｐを見た角度という。図３（Ｂ）は、液晶パネル１２の各画素Ｐに対して同じ中間階調の画素データ（例えば、ＲＧＢ各成分の値が１００）を有する画像データを液晶パネル１２に供給した場合に、視点Ｖから角度Φの方向に位置する画素Ｐを見たときに視認される輝度の一例を示すグラフである。
【００１９】
図３（Ｂ）に示すように、液晶パネルの表示面の中心点Ｃから離れた画素Ｐ（即ち、角度Φが大きい画素Ｐ）において、中心点Ｃに位置する画素Ｐに比べて輝度が増加することがある。これは、各画素Ｐにおいて、液晶パネル１２の表示面に垂直な方向に対して傾いた方向に、バックライト１３の光が液晶を介さずに漏れ出るためと考えられる。このような場合、画素Ｐを正面から（即ち、線Ｌ１に沿った方向に）見た場合には、画素データによって指定された輝度が観察されても、画素Ｐを斜めに見た場合（例えば、Φ＝１０度）には、画素データによって指定された輝度より高い輝度が観察されることとなる。そのため、光学系１４を介してユーザーが液晶パネル１２の表示面に表示された画像を見るとき、液晶パネル１２の全画素の画素データが同じであっても、ユーザーには、液晶パネル１２の表示面内に輝度のむらがあるように感じられる。
【００２０】
図４は、光学系１４を通してユーザーに視認される液晶パネル１２の表示面の輝度むらを例示する図である。図４（Ａ）は、図３（Ｂ）に示した輝度特性を有する液晶パネル１２の全画素の画素データを同じ中間階調を指定する画素データとしたときに、液晶パネル１２に表示される画像を光学系１４を介してユーザーが見たとき視認される液晶パネル１２の表示面の輝度むらを示している。図４（Ｂ）は、図４（Ａ）のラインＡ−Ａに沿った輝度分布を示す図である。図４（Ａ）に示すように、本例において、液晶パネル１２の表示面の形状は矩形である。図４（Ａ）において、グレーの濃い部分ほど、視認される輝度が画素データにより指定された輝度に近く、グレーの薄い部分ほど、画素データにより指定された輝度よりも、視認される輝度が高いことを示す。図４（Ａ）に示した例では、液晶パネル１２の表示面の中心点Ｃを中心として同心円状に輝度が変化しており、中心点Ｃから離れるほど、画素データにより指定された輝度よりも輝度が高くなっている。そのため、中心点Ｃから離れた領域では、色が白茶けて見える。
【００２１】
図４に示したような液晶パネル１２の表示面の輝度むらの特性（輝度が高い（または低い）部分の分布や、輝度むらの程度など）は、液晶パネル１２は同じでも、光学系１４が異なると変化する。これは、光学系１４の特性（例えば、倍率）が異なると、光学系１４と液晶パネル１２の距離が変わり、その結果、液晶パネル１２の表示面の中心点Ｃから離れた画素Ｐを見るとき、その画素Ｐを見る角度Φが変化するためと考えられる。尚、図４には画質のむらの例として輝度むらを示したが、一般に輝度むらの特性はＲＧＢ各色ごとに異なるため、液晶パネル１２の表示面内において色むらが生じることもある。本実施形態では、液晶パネル１２の特性及び光学系１４の特性に起因してユーザーに視認される液晶パネル１２の表示面の画質のむらを低減するため、制御部１５において画像データを補正し、補正した画像データを液晶パネル１２に供給する。
【００２２】
図５は、制御部１５の機能的構成を示すブロック図である。制御部１５は、画像データ取得部１５１と、画像データ補正部１５２と、補正データ格納部１５３とを有する。画像データ取得部１５１は、デジタルカメラ１の撮像素子または画像処理装置から画像データを取得し、取得した画像データを画像データ補正部１５２に入力する。画像データ補正部１５２は、補正データ格納部１５３に格納された補正データを参照して、画像データ取得部１５１から入力された画像データを補正し、補正された画像データを液晶パネル１２に出力する。画像データ取得部１５１及び画像データ補正部１５２の機能は、ＣＰＵ（Central Processing Unit）等の演算処理装置により、ＲＯＭ（Read Only Memory）などのメモリーに格納されたプログラムを実行することにより実現してよい。補正データ格納部１５３は、ＲＯＭなどのメモリーにより具現される。
【００２３】
補正データ格納部１５３は、画像データ補正部１５２により実行される画像データの補正に必要なデータを、補正データとして格納する。具体的には、補正データ格納部１５３は、液晶パネル１２の表示面を複数の領域に分割するための領域定義データと、画像データに含まれる画素値（入力画素値）を、補正された画像データに含まれる画素値（出力画素値）に変換するための変換データとを、補正データとして格納する。領域定義データは、表示面の複数の領域の各々の範囲を定義するデータである。変換データは、例えば、入力画素値と出力画素値を関連付ける変換テーブル（ガンマカーブとも言う）であり、液晶パネル１２の表示面の各領域に対応付けて格納される。
【００２４】
図６は、補正データ格納部１５３に格納される補正データの例を示す図である。また、図７は、図６に示した補正データに対応した、液晶パネル１２の表示面の分割の例を示す図である。図６に示した補正データＤ１は、図４に示した輝度むら特性を有する液晶パネル１２と光学系１４の組み合わせに対応したものである。図６に示した補正データＤ１は、４つの領域Ｒ１〜Ｒ４を定義する領域定義データを含んでいる。具体的には、液晶パネル１２の表示面の中心点Ｃと画素Ｐの距離をｄとしたとき、領域Ｒ１はｄ＜ｒ１となる画素Ｐの集まりとして定義され、領域Ｒ２はｒ１≦ｄ＜ｒ２となる画素Ｐの集まりとして定義され、領域Ｒ３はｒ２≦ｄ＜ｒ３となる画素Ｐの集まりとして定義され、領域Ｒ４はｒ３≦ｄとなる画素Ｐの集まりとして定義されている（ｒ１＜ｒ２＜ｒ３）。即ち、本例では、図７に示すように、液晶パネル１２の表示面は中心点Ｃを中心とした半径ｒ１、ｒ２、及びｒ３の３つの同心円を境界とする４つの領域Ｒ１〜Ｒ４に分割される。このような液晶パネル１２の表示面の分割は、液晶パネル１２及び光学系１４の特性に起因する表示面の画質のむらが、図４に示したように中心点Ｃを中心に同心円状に生じる（即ち、輝度が径方向に変化し、周方向に概ね均一である）ことに対応したものである。また、図６に示すように、補正データＤ１は、領域Ｒ１〜Ｒ４の各々に対応付けられた変換データとして、入力画素値と出力画素値を対応付けるガンマカーブＧ１〜Ｇ４を含んでいる。
【００２５】
図８は、領域Ｒ１〜Ｒ４のそれぞれに対応付けられた変換データ（ガンマカーブＧ１〜Ｇ４）の一例を示す図である。図８において、領域Ｒ１に対応付けられたガンマカーブＧ１は入力画素値と出力画素値が等しい、即ち、入力画素値の変換をしないことを示している。これは、図４に示した輝度むら特性において、液晶パネル１２の中心点Ｃの近辺の画素（即ち、領域Ｒ１内の画素）では、視認される輝度が画素データにより指定された輝度に概ね等しいためである。領域Ｒ２〜Ｒ４に対応付けられたガンマカーブＧ２〜Ｇ４は、出力画素値を入力画素値に対し所定の値だけ低下させることを示しており、低下幅はガンマカーブＧ２、Ｇ３、Ｇ４の順に大きくなっている。これは、図４に示した輝度むら特性では、液晶パネルの中心点Ｃから離れるほど輝度が大きくなっていることに対応している。このように、ガンマカーブＧ１〜Ｇ４は、液晶パネル１２の特性及び光学系１４の特性に起因して視認される液晶パネル１２の表示面の輝度むらに基づいて、輝度の高い部分の出力画素値を入力画素値より低下させるように定められる。
【００２６】
画像データ補正部１５２は、画像データが入力されると、補正データ格納部１５３に格納された各領域Ｒ１〜Ｒ４の領域定義データを参照して、液晶パネル１２の各画素が属する領域を領域Ｒ１〜Ｒ４から特定する。また、画像データ補正部１５２は、各画素に対して特定された領域Ｒ１〜Ｒ４に対応付けられたガンマカーブＧ１〜Ｇ４に基づいて、入力画像データに含まれる各画素の画素値（入力画素値）を補正された画素値（出力画素値）に変換することで、画像データの補正を行う。上記したように、領域Ｒ１〜Ｒ４及びガンマカーブＧ１〜Ｇ４は、液晶パネル１２の特性及び光学系１４の特性に応じて定められているので、これら領域Ｒ１〜Ｒ４及びガンマカーブＧ１〜Ｇ４を用いた入力画像データの補正を行うことで、画像データ補正部１５２は、入力画像データを液晶パネル１２の特性及び光学系１４の特性に応じて補正することとなる。
【００２７】
上述したように、本実施形態においては、液晶パネル１２の特性及び光学系１４の特性に応じて、入力画像データを画像データ補正部１５２によって補正し、補正された画像データを液晶パネル１２に出力するものとしたので、液晶パネル１２の特性及び光学系１４の特性に起因してユーザーに視認される液晶パネル１２の表示面の画質のむらが低減される。また、液晶パネル１２の特性及び光学系１４の特性に応じて液晶パネル１２の表示面を複数の領域Ｒ１〜Ｒ４に分割し、各領域Ｒ１〜Ｒ４に対応付けて変換データを補正データ格納部１５３に格納したので、液晶パネル１２の各画素毎に変換データを格納する場合と比べて、補正データ格納部１５３に格納されるデータの量が低減される。
【００２８】
尚、本例では、領域Ｒ１では入力画素値の変換を行わないので、領域Ｒ１に対する変換データ（ガンマカーブＧ１）の格納を省略してもよい。また、領域Ｒ１〜Ｒ４の各々に対して、ＲＧＢ各成分に対応する３つのガンマカーブを格納してもよいし、ＲＧＢ各成分に共通の一つのガンマカーブを格納してもよい。あるいは、ＲＧＢ各成分のうち、光学系１４を介してユーザーに視認される液晶パネル１２の表示面の輝度のむらに最も大きい影響を与える色である、支配的な色（例えば、Ｇ）に対してのみガンマカーブに基づく入力画素値の出力画素値への変換を行い、他の色（例えば、Ｒ及びＢ）に対しては入力画素値の出力画素値への変換を行わないものとしてもよい。これにより、変換に要する時間が短縮される。尚、人間の網膜に存在するＲＧＢ各色の錐体細胞の数の割合から、通常、Ｇ色が視認される輝度むらに最も大きい影響を与えると考えられるが、例えば、液晶パネル１２に設けられるカラーフィルターの厚みが各色毎に異なる場合、液晶パネル１２の表示面に垂直な方向に対して傾いた方向に漏れ出るバックライトの光によって影響を受け易い色（即ち、支配的な色）がＧ色以外の色となる場合もあり得る。
【００２９】
＜変形例＞
本発明は上述の実施形態に限定されるものではなく、種々の変形実施が可能である。以下、変形例をいくつか説明する。以下の変形例のうち、２つ以上のものが組み合わせて用いられてもよい。
【００３０】
（変形例１）
図９は、変形例１に係るＥＶＦ１０の模式的な断面図である。図９に示すように、ＥＶＦ１０の倍率を変更するため、付加的な光学系（以下、アタッチメントレンズと言う）２０をＥＶＦ１０に取り付けてもよい。その場合、液晶パネル１２及び光学系１４は同じでも、アタッチメントレンズ２０の特性（例えば、倍率）に応じて、ユーザーによって視認される液晶パネル１２の表示面の画質のむらの特性が変化し得る。補正データ格納部１５３は、光学系１４に取り付け可能な複数のアタッチメントレンズ２０の特性に対応して、複数の補正データを格納してもよい。
【００３１】
図９に示すように、アタッチメントレンズ２０は、倍率、メーカー名、型番などのレンズ情報を記憶した例えばＲＯＭなどのメモリー２１（レンズ情報保持部の一例）を有する。ＥＶＦ１０のアタッチメントレンズ２０が取り付けられる面には、接点１６が設けられている。アタッチメントレンズ２０がＥＶＦ１０に取り付けられると、アタッチメントレンズ２０のメモリー２１に格納されたレンズ情報が、ＥＶＦ１０の制御部１５に接点１６を介して入力される。
【００３２】
図１０は、変形例１に係る補正データを例示する図であり、図１１は、変形例１に係る制御部１５の機能的構成を示すブロック図である。図１１において、図５と共通する部分には同じ符号を付して詳しい説明を省略する。
【００３３】
図１０に示すように、本例では、ＥＶＦ１０に取着され得る複数のアタッチメントレンズ２０の倍率に対応して、複数の補正データＤ１、Ｄ２、Ｄ３・・・が、補正データ格納部１５３に格納される。これら複数の補正データＤ１、Ｄ２、Ｄ３・・・は、表示面の領域の数、各領域の領域定義データ、各領域に対応付けられる変換データが異なっていてよい。
【００３４】
図１１に示す制御部１５は、アタッチメントレンズ２０のメモリー２１に格納されたレンズ情報を接点１６を介して読み取るレンズ情報読取部１５５と、レンズ情報読取部１５５が読み取ったレンズ情報に含まれるアタッチメントレンズ２１の倍率に応じて、補正データ格納部１５３に格納されている複数の補正データＤ１、Ｄ２、Ｄ３・・・の一つを選択し、画像データ補正部１５２に供給する補正データ選択部１５４とを有する点が、図５に示す制御部１５と異なる。アタッチメントレンズ２０が、レンズ情報を格納したメモリー２１を有さない場合、レンズ情報をタッチパネル５を通じてユーザーが入力してもよい。画像データ補正部１５２は、補正データ選択部１５４により選択された補正データに基づき、入力画像データを補正して、補正された画像データを液晶パネル１２に出力する。
【００３５】
このように、変形例１においては、アタッチメントレンズ２０の特性（倍率）に応じて複数の補正データＤ１、Ｄ２、Ｄ３・・・を補正データ格納部１５３に格納し、レンズ情報読取部が読み取ったアタッチメントレンズ２０の特性に応じて、補正データ格納部１５３に格納されている複数の補正データＤ１、Ｄ２、Ｄ３・・・の一つを補正データ選択部１５４で選択し画像データ補正部１５２に供給するものとしたので、アタッチメントレンズ２０をＥＶＦ１０に取り付けた場合でも、光学系１４及びアタッチメントレンズ２０を介して視認されるＥＶＦ１０の液晶パネル１２の表示面の画質のむらを低減することができる。
【００３６】
尚、入力されたアタッチメントレンズ２０の特性に対応する補正データが補正データ格納部１５３に格納されていない場合、画像データ補正部１５２は、補正データ格納部１５３に格納されている複数の補正データＤ１、Ｄ２、Ｄ３・・・の１または複数から、入力されたアタッチメントレンズ２０の特性に対応する補正データを補間により作成し、作成した補正データに基づいて入力画像データの補正を行ってよい。例として、補正データ格納部１５３に、アタッチメントレンズ２０がＥＶＦ１０に取着されない場合、ＥＶＦ１０に取着されるアタッチメントレンズ２０の倍率が２．０倍の場合、及びＥＶＦ１０に取着されるアタッチメントレンズ２０の倍率が３．０倍の場合のそれぞれ対応した補正データＤ１、Ｄ２、及びＤ３が格納されているとき、ＥＶＦ１０に倍率が２．５倍のアタッチメントレンズ２０が取り付けられる場合を考える。この場合、倍率が２．０倍のアタッチメントレンズ２０に対応した補正データＤ２と、倍率が３．０倍のアタッチメントレンズ２０に対応した補正データＤ３とに基づいて、内挿による補間を行う（例えば、各入力画素値（０〜２５５）に対し、補正データＤ２に基づく出力画素値と補正データＤ３に基づく出力画素値の平均を、アタッチメントレンズ２０の倍率が２．５倍である場合の出力画素値として関連付ける）ことで、倍率が２．５倍のアタッチメントレンズ２０に対応する補正データ（変換データ）を作成してもよい。
【００３７】
また、上記例では、補正データ格納部１５３は、光学系１４に取り付け可能な複数のアタッチメントレンズ２０の特性（倍率）に対応して、複数の補正データＤ１、Ｄ２、Ｄ３・・・を格納し、ユーザーがタッチパネル５を用いて入力したアタッチメントレンズ２０の特性に応じて、補正データ選択部１５４が補正データを選択するものとしたが、本発明はこれに限らない。例えば、補正データ格納部１５３に、アタッチメントレンズ２０の特性を特定し得る別のレンズ情報（例えば、メーカー名及び型番）に対応して複数の補正データを格納し、補正データ選択部１５４は、レンズ情報読取部１５５で読み取ったアタッチメントレンズ２０のメーカー名及び型番に対応付けられた（即ち、アタッチメントレンズ２０の特性に対応した）補正データを選択し、画像データ補正部１５２に供給してもよい。
【００３８】
（変形例２）
上記実施形態では、電気光学装置はＥＶＦであったが、本発明はこれに限定されない。電気光学装置は、ヘッドマウントディスプレイやプロジェクターでもよく、表示部と、表示部に表示された画像を拡大する光学系とを有する電気光学装置であればよい。
【００３９】
図１２は、プロジェクターの構成の一例を示す平面図である。図１２に示されたプロジェクター２１００は、液晶パネルをＲＧＢ各色のライトバルブとして用いた３板式プロジェクターである。
【００４０】
図１２に示されるように、プロジェクター２１００の内部には、ハロゲンランプ等の白色光源を有するランプユニット２１０２が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇおよび１００Ｂにそれぞれ導かれる。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。
【００４１】
プロジェクター２１００において、ライトバルブ１００Ｒ、１００Ｇおよび１００Ｂの各々は、画素毎に透過率を設定可能な液晶パネルからなる。ライトバルブ１００Ｒ、１００Ｇ及び１００Ｂには、Ｒ色、Ｇ色、Ｂ色のそれぞれの原色成分の階調レベルを指定する映像信号が供給され、供給された映像信号に応じて、ライトバルブ１００Ｒ、１００Ｇ及び１００Ｂがそれぞれ駆動される。ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に屈折し、Ｇ色の光は直進する。したがって、各原色の画像が合成された後、スクリーン２１２０には、投射レンズ群２１１４によってカラー画像が投射される。投射レンズ群２１１４の光軸上の位置を変えることで、スクリーン２１２０に投影された画像の大きさを変えることができる。スクリーン２１２０上の画像の大きさが最大になる投射レンズ群２１１４の位置をワイド端、スクリーン２１２０上の画像の大きさが最大になる投射レンズ群２１１４の位置をテレ端という。
【００４２】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルターを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射される。したがって、ライトバルブ１００Ｒ、１００Ｂによる水平走査方向は、ライトバルブ１００Ｇによる水平走査方向と逆向きにして、左右を反転させた像を表示する構成となっている。
【００４３】
図１２に示したプロジェクター２１００の構成において、ライトバルブ１００Ｒ、１００Ｇ及び１００Ｂ、または、それらの表示画面を合成するダイクロイックプリズム２１１２が、本発明の表示部の一例に相当する。また、投射レンズ群２１１４が、本発明の光学系の一例に相当する。補正データ格納部１５３は、投射レンズ群２１１４がワイド端にあるとき（倍率大）と、テレ端にあるとき（倍率小）のそれぞれに対応した補正データを格納し、画像データ補正部１５２は、投射レンズ群２１１４の位置に応じた補正データを、ワイド端に対応する補正データと、テレ端に対応する補正データとから内挿により補間して作成し、作成した補正データに基づいて、入力画像データの補正をしてよい。
【００４４】
（変形例３）
上記実施形態では、液晶パネル１２の表示面を中心点Ｃを中心とした半径ｒ１、ｒ２、及びｒ３の３つの同心円を境界とする４つの領域Ｒ１〜Ｒ４に分割したが、本発明はこれに限定されない。表示面を分割する領域の形状や数は、液晶パネル１２の特性及び光学系１４の特性によって生じる画質むらの特性や、補正データ記憶部１５３の容量などに応じて変更してよい。より具体的には、表示面を分割する領域の形状は、液晶パネル１２の特性及び光学系１４の特性に応じて、液晶パネル１２の各画素の画素データを同じにしたとき各領域内に含まれる画素の画質（例えば輝度）の差が極力小さくなるように定めてよく、表示面を分割する領域の数は補正データを格納する補正データ格納部１５３の容量に応じて決めてよい。
【００４５】
図１３は、光学系を通して視認される液晶パネル１２の表示面の輝度むらの別の例を示す図であり、図１４は、液晶パネル１２の表示面の分割の別の例を示す図である。図１３は、図４（Ａ）と同様に、液晶パネル１２の全画素の画素データを同じ中間階調を指定する画素データとしたときに、光学系１４を通してユーザーに視認される液晶パネル１２の表示面の輝度をグレーの濃淡で示した図であり、グレーの濃い部分ほど、視認される輝度が画素データにより指定された輝度に近く、グレーの薄い部分ほど、画素データにより指定された輝度よりも、視認される輝度が高いことを示す。図１３に示した例では、液晶パネル１２の全画素の画素データを同じ中間階調を指定する画素データとしたときに、光学系１４を通してユーザーに視認される液晶パネル１２の表示面の輝度が、表示面の短辺に沿った方向には概ね均一であり、表示面の長辺に沿った方向には、中心線Ｌから離れるほど、画素データにより指定された輝度よりも輝度が高くなっている。この場合、図１４に示すように、液晶パネルの表示面を、輝度むらの少ない方向である表示面の短辺方向に延びる複数の直線によって区分された、各々矩形の領域Ｒ１〜Ｒ５に分割するとよい。ここで、長辺に沿った方向の中心線Ｌについて対称な領域は同じ領域とした。即ち、図１４の例では、液晶パネル１２の表示面を構成する各画素は、中心線Ｌからの長辺に沿った方向の距離に応じて、領域Ｒ１〜Ｒ５のいずれかに属する。このような分割により、例えば、表示面の長辺方向に沿った境界線により表示面を複数の領域に分割する場合と比べて、各領域Ｒ１〜Ｒ５に含まれる画素の輝度の差が小さくなる。各領域Ｒ１〜Ｒ５に含まれる画素の輝度の差が小さいと、各領域Ｒ１〜Ｒ５内の画素に対して同じ変換データを用いて画素値の補正を行っても、補正が過大または不十分となる画素が生じにくい。尚、図１４の例では、５つの領域Ｒ１〜Ｒ５に分割したが、補正データ記憶部１５３の容量に応じて、５より多くの数の領域に分割したり、５より少ない数の領域に分割してもよい。
【００４６】
（変形例４）
上記実施形態では、ＥＶＦ１０の表示部として液晶パネル１２を用いたが、本発明はこれに限定されない。例えば、表示部として、有機ＥＬ（Electro-Luminescence）素子を用いた有機ＥＬパネルを用いてもよい。
【００４７】
（変形例５）
上記実施形態では、入力画素値を出力画素値に変換するための変換データとして入力画素値と出力画素値を関連付ける変換テーブル（ガンマカーブ）を補正データ格納部に格納したが、本発明はこれに限定されない。例えば、出力画素値をＰｙとし、入力画素値をＰｘとしたとき、Ｐｙ＝ａ・Ｐｘ＋ｂのように、出力画素値Ｐｙが入力画素値Ｐｘの一次関数として表される場合、変換データとして係数ａ、ｂを補正データ格納部に格納してもよい。ただし、ガンマカーブを用いると、入力画素値と出力画素値の対応付けの自由度が大きい。
【符号の説明】
【００４８】
１…デジタルカメラ、２…本体、３…シャッターボタン、４…電源スイッチ、５…タッチパネル、１０…ＥＶＦ、１１…ハウジング、１２…液晶パネル、１３…バックライト、１４…光学系、１５…制御部、１６…接点、２０…アタッチメントレンズ、２１…メモリー、１５１、…画像データ取得部、１５２…画像データ補正部、１５３…補正データ格納部、１５４…補正データ選択部、１５５…レンズ情報読取部、２１００…プロジェクター、２１０２…ランプユニット、２１０６…ミラー、２１０８…ダイクロイックミラー、２１１２…ダイクロイックプリズム、２１１４…投射レンズ群、２１２０…スクリーン、２１２１…リレーレンズ系、２１２２…入射レンズ、２１２３…リレーレンズ、２１２４…出射レンズ、１００Ｒ、１００Ｇ、１００Ｂ…ライトバルブ
【図１】
2013061442.tif 000003
【図２】
2013061442.tif 000004
【図３】
2013061442.tif 000005
【図５】
2013061442.tif 000006
【図６】
2013061442.tif 000007
【図７】
2013061442.tif 000008
【図８】
2013061442.tif 000009
【図９】
2013061442.tif 000010
【図１０】
2013061442.tif 000011
【図１１】
2013061442.tif 000012
【図１２】
2013061442.tif 000013
【図１４】
2013061442.tif 000014
【図４】
2013061442.tif 000015
【図１３】
2013061442.tif 000016